(57)【要約】【課題】最もピントの合っている位置がユーザに分かりやすく、正確に実行できるフォーカスキャリブレーションシステムを提供すること。【解決手段】撮影光学系を有する撮像装置であって、被写体の輝度を測光する測光手段と、撮影条件に応じて撮像感度を調整する感度調整手段と、前記撮影光学系の焦点状態を検出し、該焦点状態に基づいて算出した第一の合焦位置に、前記撮影光学系に含まれるフォーカス素子を移動させるフォーカス制御手段と、前記第一の合焦位置と、任意に定められた第二の合焦位置との差から算出される補正量を用いて前記第一の合焦位置を補正するキャリブレーション手段とを有し、前記キャリブレーション手段は、前記感度調整手段により、前記撮像感度を自動変更し、適正露出を得ることを特徴とする。【選択図】図１
2017156371.tif 000002
【特許請求の範囲】
【請求項１】
撮影光学系（３）を有する撮像装置（１）であって、
被写体の輝度を測光する測光手段（１１）と、
撮影条件に応じて撮像感度を調整する感度調整手段（２０）と、
前記撮影光学系（３）の焦点状態を検出し、該焦点状態に基づいて算出した第一の合焦位置に、前記撮影光学系（３）に含まれるフォーカス素子（３ａ）を移動させるフォーカス制御手段（２３）と、
前記第一の合焦位置と、任意に定められた第二の合焦位置との差から算出される補正量を用いて前記第一の合焦位置を補正するキャリブレーション手段とを有し、
前記キャリブレーション手段は、前記感度調整手段（２０）により、前記撮像感度を自動変更することを特徴とする撮像装置。
【請求項２】
前記キャリブレーション手段は、前記補正量を決定するために行われる撮影において、自動的に所定絞り値で撮影することを特徴とする請求項１に記載の撮像装置（１）。
【請求項３】
前記キャリブレーション手段は、前記撮像感度の使用範囲の制限により、外部操作では設定不可能とされている前記撮像感度も設定可能とする請求項１に記載の撮像装置（１）。
【発明の詳細な説明】
【技術分野】
【０００１】
本発明は、フォーカス制御が可能な撮像装置に関し、特に、オートフォーカス時に得られる合焦位置をユーザの好みの合焦位置に基づいて補正するフォーカスキャリブレーションシステムに関する。
【背景技術】
【０００２】
従来、デジタルカメラには撮影に必要な様々な設定値があり、撮影環境や装着レンズに応じて、それらの設定値を変更する必要がある。設定値を変更する場合には、その変更によって得られる効果がユーザに分かるようにすることが望まれる。特にＡＦキャリブレーション設定、すなわちオートフォーカス時のピントのずれを補正するピント調整値の変更を行う場合は、その変更の過程を確認することが必要である。
【０００３】
特許文献１では、ピント調整を行う際に、被写体の輝度から露出量を決定する所定のプログラム線図に基づき各設定値を変更することで、ピント調整による効果をユーザに分かりやすくしている。
【先行技術文献】
【特許文献】
【０００４】
【特許文献１】特開２０１２−２１７１００号公報
【発明の概要】
【発明が解決しようとする課題】
【０００５】
しかしながら、上述の特許文献１に開示された従来技術では、変更する設定値の中に絞り値が含まれており、被写体の輝度が高く、絞り値が大きくなった場合、被写界深度が深くなり、最もピントの合っている位置が分かりづらくなってしまう。
【０００６】
そこで、本発明では、絞り値を大きくすることなく適正露出を得ることで、最もピントの合っている位置がユーザに分かりやすく、正確に実行できるフォーカスキャリブレーションシステムを提供することを目的とする。
【課題を解決するための手段】
【０００７】
上記の目的を達成するために、本発明に係る撮像装置は、
被写体の輝度を測光する測光手段と、撮影条件に応じて撮像感度を調整する感度調整手段と、前記撮影光学系の焦点状態を検出し、該焦点状態に基づいて算出した第一の合焦位置に、前記撮影光学系に含まれるフォーカス素子を移動させるフォーカス制御手段と、前記第一の合焦位置と、任意に定められた第二の合焦位置との差から算出される補正量を用いて前記第一の合焦位置を補正するキャリブレーション手段とを有し、前記キャリブレーション手段は、前記感度調整手段により、前記撮像感度を自動変更し、適正露出を得ることを特徴とする。
【発明の効果】
【０００８】
本発明に係る撮像装置によれば、フォーカスキャリブレーション時に、開放絞り値に設定し、さらにＩＳＯ感度を優先的に変更することで、開放絞り値で適正露出を得ることが出来る。つまり、被写界深度の浅い画像を撮影することが出来るため、より正確で、ユーザに分かりやすいフォーカスキャリブレーションを行うことが出来る。
【図面の簡単な説明】
【０００９】
【図１】本発明の実施例１であるフォーカスキャリブレーション動作を示すフローチャート
【図２】実施例１のデジタル一眼レフカメラ（ミラーダウン状態）の構成を示す断面図
【図３】実施例１のデジタル一眼レフカメラ（ライブビュー状態）の構成を示す断面図
【図４】実施例１のデジタル一眼レフカメラの電気構成を示すブロック図
【図５】実施例１のデジタル一眼レフカメラの基本動作を示すフローチャート
【図６】実施例１および実施例２のフォーカスキャリブレーションにおいて、適正露出を得るＩＳＯ感度を決定するプログラム線図
【図７】本発明の実施例２である一眼レフカメラにおけるフォーカスキャリブレーション動作を示すフローチャート
【発明を実施するための形態】
【００１０】
以下に、本発明の好ましい実施の形態を、添付の図面に基づいて詳細に説明する。
【００１１】
［実施例１］
図２および図３には、本発明の実施例１である撮像装置としてのデジタル一眼レフカメラと光学装置としての交換レンズとを含むデジタル一眼レフカメラシステムの構成を示している。
【００１２】
１はデジタル一眼レフカメラの本体（以下、カメラ本体という）である。２はカメラ本体１に固定されたマウントであり、該マウント２には、交換レンズ３が着脱交換可能に装着される。また、マウント２には、交換レンズ３との間で各種信号を通信したりカメラ本体１から交換レンズ３に電源を供給したりするためのインターフェイス部（図示せず）が設けられている。
【００１３】
交換レンズ３の内部には、フォーカスレンズ（フォーカス素子）３ａ、変倍レンズ３ｂおよび絞り１７を含む撮影光学系が収容されている。なお、図では各レンズを１枚のレンズにより構成されているように示しているが、複数枚のレンズによって構成されていてもよい。
【００１４】
カメラ本体１において、４はハーフミラーにより構成された主ミラーであり、該主ミラー４は図２に示すダウン位置と図３に示すアップ位置とに回動可能である。撮影光学系により形成される被写体像を後述するファインダ光学系を通して観察するときには（ファインダ観察状態では）、主ミラー４は、図２に示すように撮影光路内に斜めに配置されるダウン位置に回動される。ダウン位置に配置された主ミラー４は、撮影光学系からの光束を反射してファインダ光学系に導く。
【００１５】
ファインダ光学系は、主ミラー４により反射された光により被写体像が形成されるピント板９と、該ピント板９上に形成された被写体像を反転させるペンタプリズム１０とを有する。また、フィンダ光学系は、ペンタプリズム１０からの光を検出する測光センサ１１を有する。撮影時やライブビュー表示時（撮影／ライブビュー観察状態）では、主ミラー４は、図３に示すように撮影光路から退避するアップ位置に回動する。これにより、撮影光学系３からの光は、後述するシャッタ５および撮像素子６に向かう。
【００１６】
シャッタ５は、撮影光学系からの光による撮像素子６の露光を制御する。実施例のシャッタ５は、フォーカルプレンシャッタであり、ファインダ観察状態では閉じ、撮影／ライブビュー観察状態にて開く。
【００１７】
撮像素子６は、ＣＭＯＳセンサやＣＣＤセンサにより構成された光学変換素子であり、被写体像を光電変換して撮像信号を出力する。撮像信号に対して後述する画像処理回路４４（図４参照）にて各種処理が行われ、画像信号が生成される。
【００１８】
７は主ミラー４とともに回動するサブミラーであり、主ミラー４がダウン位置に配置さているときに、該主ミラー４を透過した光を反射して後述するＡＦユニット８に導く。また、サブミラー７は、撮影／ライブビュー観察状態では、主ミラー４とともにアップ位置に回動する。
【００１９】
ＡＦユニット８であり、反射ミラー８ａと、２次結像レンズ８ｂと、２次元方向に配置された複数の受光素子含むエリアセンサ８ｃとにより構成されている。２次結像レンズ８ｂは、撮影光学系から入射して主ミラー４、サブミラー７および反射ミラー８ａにて反射した光に一対の被写体像を形成させる。
【００２０】
エリアセンサ８ｃはこれら一対の被写体像を光電変換して一対の像信号を生成する。これら一対の像信号は、後述する焦点検出回路２６（図４参照）に出力される。ＡＦユニット８を用いて、位相差検出方式による撮影光学系の焦点状態の検出（すなわち、焦点検出）を行うことができる。２次結像レンズ８ｂは、撮影画面内の複数の領域に含まれる被写体のそれぞれについて一対の被写体像を形成するように構成されている。すなわち、撮影画面内には複数の焦点検出領域が配置されている。
【００２１】
１２は液晶モニタであり、画像信号（ライブビュー画像および撮影画像）や各種情報を表示する。
【００２２】
交換レンズ３において、１３はフォーカスレンズ３ａを光軸方向に移動させる駆動源となるフォーカスモータであり、１４はフォーカスモータ１３により回転されるリードスクリューである。リードスクリュー１４には、フォーカスレンズ３ａに取り付けられた（実際には、フォーカスレンズ３ａを保持する保持枠に取り付けられた）ラック１９が噛み合っている。このため、フォーカスモータ１３によりリードスクリュー１４が回転されると、リードスクリュー１４とラック１９との噛み合いによりラック１９およびフォーカスレンズ３ａが光軸方向に移動する。
【００２３】
リードスクリュー１４の先端には、パルス板１６が該リードスクリュー１４と一体回転可能に取り付けられている。また、交換レンズ３内には、パルス板１６の一部を挟むように配置された発光素子と受光素子とを有するフォトカプラ１５が配置されている。フォトカプラ１５は、パルス板１６の回転によって発光素子からの光が受光素子により受光されるごとにパルス信号を生成する。このパルス信号は、後述する焦点調節回路２４（図４参照）に入力され、ここでパルス信号の入力数がカウントされることで、フォーカスレンズ３ａの移動量（又は位置）が検出される。
【００２４】
１８は後述する絞り駆動回路２５（図４参照）を含み、絞り１７を開閉方向に駆動する絞り駆動部である。
【００２５】
図４には、上述したデジタル一眼レフカメラシステムの電気的構成を示している。２０はカメラ本体１およびカメラシステム全体の制御を行うメインコントローラとしてのマイクロコンピュータ（以下、ＭＰＵという）である。２１は撮像素子６の動作の制御や画像データに関する制御を行うメモリコントローラである。２２は各種制御を行うためのデータを格納しているメモリとしてのＥＥＰＲＯＭである。
【００２６】
２３は交換レンズ３内に設けられたレンズ制御回路であり、マウント２を介して送信されてくるＭＰＵ２０からの信号に応じて、交換レンズ３内の焦点調節回路２４および絞り駆動回路２５を制御する。
【００２７】
焦点調節回路２４には、レンズ制御回路２３からフォーカスレンズ３ａの目標移動量を示す情報が入力されるとともに、フォトカプラ１５からパルス信号（つまりはフォーカスレンズ３ａの実際の移動量を示す実移動量の情報）が入力される。焦点調節回路２４は、目標移動量と実移動量の情報に基づいて、フォーカスモータ１３を駆動してフォーカスレンズ３ａを移動させる。絞り駆動回路２５は、レンズ制御回路２３からの絞り駆動信号に応じて絞り１７を駆動する。
【００２８】
カメラ本体１内の焦点検出回路２６は、ＡＦユニット８に設けられたエリアセンサ８ｃの電荷蓄積と電荷読み出しを制御し、各焦点検出領域で得られる一対の像信号をＭＰＵ２０に出力する。ＭＰＵ２０は、入力された一対の像信号に対して相関演算を行うことで、該一対の像信号の位相差を算出する。さらに、ＭＰＵ２０は、該位相差から撮影光学系の焦点状態を示すデフォーカス量を算出する。
【００２９】
そして、ＭＰＵ２０は、該デフォーカス量と、交換レンズ３（レンズ制御回路２３）から取得した撮影光学系の焦点距離やフォーカスレンズ３ａのフォーカス敏感度等の光学データとに基づいて、フォーカスレンズ３ａの合焦位置を計算する。この位相差検出方式により得られる合焦位置（第１の合焦位置）を、以下の説明では、位相差合焦位置という。ＭＰＵ２０は、位相差合焦位置の情報を、レンズ制御回路２３に送信する。ＡＦユニット８、焦点検出回路２６およびＭＰＵ２０によりフォーカス制御手段が構成される。
【００３０】
レンズ制御回路２３は、フォーカスレンズ３ａを現在の位置から位相差合焦位置に移動させるためのフォーカスレンズ３ａの目標移動量を算出し、該目標移動量の情報を焦点調節回路２４に出力する。これにより、前述したように、焦点調節回路２４によるフォーカスモータ１３の駆動およびフォーカスレンズ３ａの位相差合焦位置への移動が行われる。このようにして、位相差検出方式による焦点検出と焦点調節からなる位相差ＡＦ（オートフォーカス）が行われる。
【００３１】
カメラ本体１において、２７はモータ駆動回路であり、主ミラー４を駆動する不図示のミラーモータやシャッタ５をチャージする不図示のチャージモータを制御する。
【００３２】
２８はシャッタ駆動回路であり、シャッタ５をチャージ状態にて保持する不図示の電磁石（コイル）への電力供給を制御する。２９は電源（バッテリ）３０の電圧を、カメラ本体１および交換レンズ３内の各回路に必要な電圧に変換するＤＣ／ＤＣコンバータである。電源３０はカメラ本体１に対して着脱可能である。
【００３３】
３１は測光回路であり、測光センサ１１より得た電圧をＡ／Ｄ変換し、測光値としてＭＰＵ２０へ送る。３３はユーザによって撮影を開始させるために操作されるレリーズボタンである。該レリーズボタン３３の半押し操作（第１ストローク操作）によって、測光（ＡＥ）およびＡＦ等の撮影準備動作を開始させるための第１スイッチＳＷ１がオンされる。また、レリーズボタン３３の全押し操作（第２ストローク操作）によって、記録用画像を生成するための撮像素子６の露光を開始させるための第２スイッチＳＷ２がオンされる。第１スイッチＳＷ１および第２スイッチＳＷ２のオン信号はＭＰＵ２０に出力される。
【００３４】
３４はモードボタンであり、後述する電子ダイヤル３５とともに操作されることで、カメラ本体１における撮影モードの変更を可能とする。３５は電子ダイヤルであり、その回転操作量に応じたクリック信号がＭＰＵ２０内のアップダウンカウンタにてカウントされ、該カウント値に応じて各種数値やデータ等の選択が行われる。３６はマルチコントロールボタンであり、上下左右およびそれらの間に設けられた８つのボタン部がユーザによって操作されることで、合焦状態を得る目標となる焦点検出領域や各種撮影モードの詳細を選択又は設定するための操作入力部である。
【００３５】
３７はＡＦボタンであり、これがユーザによって操作されると、ＡＦのＯＮ／ＯＦＦを切り替えられる。３８は電源ボタンであり、これがユーザにより操作されると、カメラ本体１（および交換レンズ３）の電源がＯＮ／ＯＦＦされる。
【００３６】
４０は撮像素子６から出力された撮像信号に対して、サンプルホールドと自動ゲイン調整を行うＣＤＳ（相関２重サンプリング）／ＡＧＣ（自動ゲイン調整）回路である。４１はＣＤＳ／ＡＧＣ回路４０からのアナログ出力をデジタル信号に変換するＡ／Ｄ変換器である。４２はＴＧ（タイミング発生）回路であり、撮像素子６に駆動タイミング信号を、ＣＤＳ／ＡＧＣ回路４０にサンプルホールドタイミング信号を、Ａ／Ｄ変換器４１にサンプルクロック信号をそれぞれ供給する。
【００３７】
４３はメモリとしてのＳＤＲＡＭであり、Ａ／Ｄ変換器４１によりデジタル変換された画像等のデータを一時的に記録する。４４は画像処理回路であり、Ａ／Ｄ変換器４１から出力された撮像信号（デジタル信号）に対して、Ｙ／Ｃ（輝度信号／色差信号）分離、ホワイトバランス補正およびγ補正等の様々な処理を行って、ライブビュー用や記録用の画像データを生成する。
【００３８】
メモリコントローラ２１は、画像処理回路４４で生成された画像データから、被写体の測光情報を得る（いわゆる撮像面ＡＥを行う）ことが可能である。
【００３９】
４５は画像圧縮／伸張回路であり、画像データをＪＰＥＧ等の形式に従って圧縮したり圧縮された画像データを伸張したりする。４６はＳＤＲＡＭ４３や記録メディア４８に記録された画像データを液晶モニタ１２に表示するために、画像データをアナログ信号に変換するＤ／Ａ変換器である。４７は記録メディア４８とのＩ／Ｆ（インターフェイス）である。
【００４０】
次に、本実施例のデジタル一眼レフカメラシステムの動作を、図１および図５に示すフローチャートを用いて説明する。
【００４１】
図１のフローチャートは、フォーカスキャリブレーションを行うキャリブレーションモードで行われる動作を示す。また、図１および図５に示す動作は、それぞれコンピュータであるＭＰＵ２０およびメモリコントローラ２１が、コンピュータプログラムに従って実行する。
【００４２】
ステップＳ１０１において、ＭＰＵ２０は、ユーザによってモードボタン３４および電子ダイヤル３５が操作されてキャリブレーションモードが選択されたことを検出すると、ステップＳ１０２に進む。
【００４３】
ステップＳ１０２では、ＭＰＵ２０は、キャリブレーションモードが選択される前のモードがいかなるモードであっても、ＩＳＯ感度を優先的に自動で変更するモード（以下、オートＩＳＯモードという）へ強制的に変更する。ステップＳ１０２が完了すると、ユーザは、フォーカスキャリブレーションを行うときの被写体を探し、該被写体が撮影画面中央に位置するようにカメラを配置する。ここでは、フォーカスキャリブレーションを行う焦点検出領域を撮影画面の中央に位置する焦点検出領域とするために、被写体を撮影画面の中央に配置する。ただし、フォーカスキャリブレーションは撮影画面内のどの焦点検出領域で行ってもよく、被写体はフォーカスキャリブレーションを行う焦点検出領域の位置に配置すればよい。
【００４４】
ステップＳ１０３では、ＭＰＵ２０は、ユーザによりレリーズボタン３３が半押し操作されて第１スイッチＳＷ１がオンになったか否かを判定する。オンになっていればフォーカスキャリブレーションを行う焦点検出領域および被写体を確定して、ステップＳ１０４に進む。オンされていなければ、オンされるまで待機する。
【００４５】
ステップＳ１０４では、ＭＰＵ２０は、測光センサ１１に被写体の測光を行わせ、測光値を取得する。
【００４６】
ステップＳ１０５では、絞り値を開放に設定する。開放絞り値で撮影することで、装着しているレンズの中で最も被写界深度の浅い画像を得ることが出来る。
【００４７】
ステップＳ１０６では、ＭＰＵ２０は、ステップＳ１０５で設定した開放絞り値（ＡＶ）、キャリブレーションモードを開始する前に設定されていたシャッタ速度（ＴＶ）から露出値（ＥＶ）を計算する。ＥＶは以下の式（１）で求める。
ＥＶ＝ＡＶ＋ＴＶ・・・（１）
さらにＭＰＵ２０は、ステップＳ１０４で取得した測光値（ＬＶ値）と式（１）で計算したＥＶ値を用いて、図６のプログラム線図より、適正露出を得られるＩＳＯ感度を決定する。例えば、ＡＶ＝２、ＴＶ＝１０、ＬＶ＝９とすると、
ＥＶ＝２＋１０＝１２
となり、式（１）で求めたＥＶ値とＩＳＯ感度１００の時（線分Ｌ１）の交点は点Ｐ１となる。
さらにＭＰＵ２０は、ＥＶ値とＬＶ値の差分（Ｙ）を式（２）で求める。
Ｙ＝ＥＶ−ＬＶ・・・（２）
式（２）にて本実施例における差分Ｙを求めると、
Ｙ＝１２−９＝３
となり、この差分ＹだけＩＳＯ感度の段数をシフトさせると点Ｐ２を取り、ＩＳＯ感度は８００となる。
【００４８】
ステップＳ１０７では、ＭＰＵ２０は、位相差検出方式による焦点検出を行い、位相差合焦位置にフォーカスレンズ３ａを移動させる。このときの位相差合焦位置は、ＳＤＲＡＭ４３に一時的に記録される。
【００４９】
ステップＳ１０８では、ＭＰＵ２０は、ユーザによりレリーズボタン３３が全押し操作されて第２スイッチＳＷ２がオンになったか否かを判定する。オンになっていればステップＳ１０９に進む。オンされていなければ、オンされるまで待機する。
【００５０】
ステップＳ１０９では、ＭＰＵ２０は、レンズ制御回路２３を通じてフォーカスレンズ３ａを位相差合焦位置から至近側に所定量だけ移動させる。所定量としては、後述するステップＳ１１０にて設定された駆動ステップ量Ｎに、後述するステップＳ１１１にて設定された撮影枚数Ｉの半数を掛け合わせたステップ数が望ましい。
【００５１】
ステップＳ１１０では、ＭＰＵ２０は、フォーカスレンズ３ａの微小駆動における駆動ステップ量Ｎを１に設定する。なお、駆動ステップ量Ｎは、実際には、フォーカスモータ１３の回転量を示すフォトカプラ１５からのパルス数Ｎに相当する。しかし、ここでは、駆動ステップ量Ｎがフォーカスレンズ３ａの移動量を示すものとして説明する。
【００５２】
ステップＳ１１１では、ＭＰＵ２０は、ピントを調整するための補正量（以下、ＣＡＬ補正量という）を決定する際に使用する画像の撮影枚数Ｉを設定する。
【００５３】
ステップＳ１１２では、ＭＰＵ２０は、設定された駆動ステップ量Ｎがその上限値である１０を超えたか否かを判定する。駆動ステップ量Ｎが１０以下であればステップＳ１１３に進み、１０を超えていればステップＳ１１７に進む。
【００５４】
ステップＳ１１３では、ステップＳ１１２までに設定されている設定値で撮影を行い、撮影された画像をＳＤＲＡＭ４３に一時的に記録する。また、この時の位相差合焦位置情報も画像に関連付けて一時的にＳＤＲＡＭ４３に一時的に記録する。
【００５５】
ステップＳ１１４では、ＭＰＵ２０は、レンズ制御回路２３に、フォーカスレンズ３ａを駆動ステップ量Ｎだけ無限遠側に駆動するように指示（命令）する。レンズ制御回路２３は、該指示に応じて、焦点調節回路２４を介して、駆動ステップ量Ｎだけフォーカスレンズ３ａを移動させるようにフォーカスモータ１３を駆動する。
【００５６】
ステップＳ１１５では、ＭＰＵ２０は、焦点調節回路２４とレンズ制御回路２３を通じて、フォトカプラ１５からのパルス数がＮになったか否か、すなわちフォーカスレンズ３ａが指示された駆動ステップ量Ｎに一致するＮステップ移動したか否かを判定する。フォーカスレンズ３ａがＮステップ移動したときはステップＳ１１８に進み、正しくＮステップ移動しなかったときはステップＳ１１６に進む。正しくＮステップ移動しなかったときとは、フォーカスレンズ３ａが移動しないときや、移動したがその移動量が指示された駆動ステップ量Ｎに一致しないときである。フォーカスレンズ３ａが指示通りにＮステップ移動したことは、現在カメラ本体１に装着されている交換レンズ３はＭＰＵ２０からの駆動ステップ量Ｎの指令に対してフォーカスレンズ３ａをＮステップ移動させる機能（駆動性能）を有することを意味する。フォーカスレンズ３ａがＮステップ移動しなかったことは、該交換レンズ３は、元々その移動指令に対応しないタイプか長期使用による性能劣化等により、駆動ステップ量Ｎの指令に対してフォーカスレンズ３ａをＮステップ移動させる機能を有さないことを意味する。
【００５７】
ステップＳ１１６では、ＭＰＵ２０は、ステップＳ１１５にてフォーカスレンズ３ａがＮステップ移動しなかったとの判定を受けて、駆動ステップ量Ｎを１増加させてＮ＋１に設定し、ステップＳ１１２に戻る。Ｎ＝１であった場合、Ｎ＋１＝１＋１＝２となる。このように、ステップＳ１１５にてフォーカスレンズ３ａが指示通りにＮステップ移動したことが判定されるまで、ステップＳ１１６でＮを１ずつ増加させながらステップＳ１１４でフォーカスレンズ３ａの駆動が行われる。なお、本実施例では、ステップＳ１１６で駆動ステップ量Ｎを１ステップずつ増加させる場合について説明しているが、増加させるステップ数は２以上のステップ数であってもよい。また、本実施例では、ステップＳ１０９〜ステップＳ１１５にてフォーカスレンズ３ａを至近側から無限遠側に移動させる場合について説明したが、フォーカスレンズ３ａを無限遠側から至近側に移動させてもよい。この場合は、ステップＳ１０９にて、フォーカスレンズ３ａを無限遠側に所定量移動させればよい。
【００５８】
ステップＳ１１７では、ＭＰＵ２０は、ステップＳ１１６にて指示する駆動ステップ量Ｎが１０を超えても交換レンズ３においてフォーカスレンズ３ａがＮステップ移動しないことで交換レンズ３においてフォーカスレンズ３ａがＮステップ移動しないことで交換レンズ３に何らかの異常があるとみなす。そして、ＭＰＵ２０は、フォーカスキャリブレーションが不能であること、つまりはフォーカスキャリブレーションによる位相差合焦位置の補正を行わないことを示す情報（警報）を出力する。具体的には、該警告を液晶モニタ１２に表示する。この後、ＭＰＵ２０は、キャリブレーションモードを終了する。なお、ステップＳ１１２での駆動ステップ量Ｎの上限値は、１０以外の数であってもよい。また、警告の出力は、音声により行ってもよい。
【００５９】
ステップＳ１１８では、ＭＰＵ２０は、撮影枚数Ｉを１減少させて、Ｉ−１に設定し、ステップＳ１１９に進む。
【００６０】
ステップＳ１１９では、ＭＰＵ２０は、撮影枚数Ｉが０か否か、つまり設定された撮影枚数を撮影し終わったかを判定する。撮影が終了し、撮影枚数Ｉが０であった場合はステップＳ１２０に進む。撮影が終了しておらず、撮影枚数Ｉが１以上であった場合はステップＳ１１３に戻る。
【００６１】
ステップＳ１２０では、ＭＰＵ２０は、フォーカスレンズ３ａの駆動を停止する指示をレンズ制御回路２３に送る。
【００６２】
ステップＳ１２１では、ＭＰＵ２０は、ステップＳ１１３で撮影された画像を全て液晶モニタ１２に表示する。また、ＭＰＵ２０はユーザの操作、例えば電子ダイヤル３５やマルチコントロールボタン３６の操作により画像が選択されることで、選択された画像を１枚のみ表示させる。さらに選択された画像をユーザの操作により拡大、縮小して表示する。
【００６３】
ステップＳ１２２では、ＭＰＵ２０は、液晶モニタ１２に表示された画像から、ユーザが１枚の画像を選択する操作を待つ。ユーザが選択する画像とは、ステップＳ１２１で液晶モニタ１２に表示された全画像の中で、ユーザが最も好ましいと感じるピントで撮影されている画像（以下、ベストピント画像という）である。選択する操作は、例えば、電子ダイヤル３５やマルチコントロールボタン３６の操作部材により行われる。ユーザがベストピント画像を選択すると、ステップＳ１２３に進む。
【００６４】
ステップＳ１２３では、ＭＰＵ２０は、ステップＳ１０７にて得られた位相差合焦位置と、ステップＳ１２２でユーザに選択されたベストピント画像の合焦位置の差を計算する。この差が、ＣＡＬ補正量となる。
【００６５】
ステップＳ１２４では、ＭＰＵ２０は、ステップＳ１２３で算出されたＣＡＬ補正量を液晶モニタ１２に表示する。
【００６６】
ステップＳ１２５では、ＭＰＵ２０は、ユーザに、液晶モニタ１２に表示されたＣＡＬ補正量によって位相差合焦位置を補正するか否かを選択する操作を待つ。つまり、フォーカスキャリブレーションに、このＣＡＬ補正量を採用するか否かを選択する操作を待つ。該操作は、例えば、マルチコントロールボタン３６において行われる。補正することを選択する操作がなされた場合はステップＳ１２６に進み、補正しないことを選択する操作がなされた場合はステップＳ１２７に進む。
【００６７】
ステップＳ１２６では、ＭＰＵ２０は、ＣＡＬ補正量をＥＥＰＲＯＭ２２に記憶させる。ステップＳ１２７では、ＭＰＵ２０は、位相差合焦位置の補正、すなわちフォーカスキャリブレーションを行わないことを液晶モニタ１２に表示して、キャリブレーションモードを終了する。
【００６８】
図５のフローチャートには、本実施例の一眼レフカメラにて、撮影を行う時のカメラシステムの基本動作を示す。本実施例にて、ＣＡＬ補正量が設定されている場合、そのＣＡＬ補正量を加味し、合焦位置を算出する。
【００６９】
ステップＳ１５１では、ＭＰＵ２０は、ユーザによる各種ボタンの操作に応じてカメラの各種設定を行う。例えば、モードボタン３４が操作されることに応じて撮影モードを設定したり、電子ダイヤル３５が操作されることに応じてシャッタースピードや絞り値を切り替えたりする。
【００７０】
ステップＳ１５２では、ＭＰＵ２０は、ユーザによりレリーズボタン３３が半押し操作されたか否かを判定する。半押し操作されて第１スイッチＳＷ１がオンとなったときはステップＳ１５３に進み、第１スイッチＳＷ１がオンされていなければ、オンされるまで待機する。
【００７１】
ステップＳ１５３では、ＭＰＵ２０は、測光センサ１１に被写体の測光を行わせる。そして、ＭＰＵ２０は、測光結果に基づいて、自動露出（ＡＥ）におけるシャッタースピードや絞り値を設定する。
【００７２】
ステップＳ１５４では、ＭＰＵ２０は、位相差ＡＦにおける焦点検出と位相差合焦位置の算出とを行う。
【００７３】
ステップＳ１５５では、ＭＰＵ２０は、ＥＥＰＲＯＭ２２にＣＡＬ補正量が記憶されているか否かを判定する。ＣＡＬ補正量が記憶されていればステップＳ１５６に進み、ＣＡＬ補正量が記憶されていなければステップＳ１５７へ進む。
【００７４】
ステップＳ１５６では、ＭＰＵ２０は、ステップＳ１５４にて算出された位相差合焦位置にＣＡＬ補正量を加算することで該位相差合焦位置を補正する。そして、ＭＰＵ２０は、補正後の位相差合焦位置へのフォーカスレンズ３ａの移動量（レンズ合焦駆動量）を算出する。そして、ステップＳ１５８に進む。
【００７５】
ステップＳ１５７では、ＭＰＵ２０は、ステップＳ１５４にて算出された位相差合焦位置へのフォーカスレンズ３ａの目標移動量（レンズ合焦駆動量）を算出する。そして、ステップＳ１５８に進む。
【００７６】
ステップＳ１５８では、ＭＰＵ２０は、レンズ制御回路２３を介して焦点調節回路２４がレンズ合焦駆動量の情報を送り、焦点調節回路２４にレンズ合焦駆動量に相当する回転量だけフォーカスモータ１３を駆動させる。これにより、フォーカスレンズ３ａが補正後の位相差合焦位置に移動する。
【００７７】
ステップＳ１５９では、ユーザによりレリーズボタン３３が全押し操作されたか否かを判定する。全押し操作されて第２スイッチＳＷ２がオンとなったときはステップＳ１６０に進み、第２スイッチＳＷ２がオンされていなければ、オンされるまで待機する。
【００７８】
ステップＳ１６０では、ＭＰＵ２０は、モータ駆動回路２７にミラーモータを駆動させ、主ミラー４とサブミラー７をアップ位置に回動させる。
【００７９】
ステップＳ１６１では、ＭＰＵ２０は、ＡＥの結果により計算された又はユーザにより選択された絞り値に従って、レンズ制御回路２３を介して絞り駆動回路２５に絞り１７を駆動させる。
【００８０】
ステップＳ１６２では、メモリコントローラ２１は、撮像素子６における撮影画像を生成するための電荷蓄積を開始する。
【００８１】
ステップＳ１６３では、ＭＰＵ２０は、ＡＥの結果により計算された又はユーザにより選択されたシャッタースピードに従って、シャッタ駆動回路２８にシャッタ５を開閉駆動させる。
【００８２】
ステップＳ１６４では、電荷蓄積を終了し、メモリコントローラ２１は、撮像素子６に蓄積された電荷（撮像信号）を読み出して、これをＳＤＲＡＭ４３に一時的に記録する。
【００８３】
ステップＳ１６５では、メモリコントローラ２１は、画像処理回路４４に、ＳＤＲＡＭ４３に一時的に記録された撮像信号に対して、ホワイトバランス補正、γ補正、エッジ強調等の画像処理を行って撮影画像データを生成する。そして、メモリコントローラ２１は、画像圧縮／伸張回路４５に、撮影画像データをＪＰＥＧ等の形式に従って圧縮し、該圧縮された撮影画像データを記録メディア４８に記録させる。
【００８４】
ステップＳ１６６では、ＭＰＵ２０は、レンズ制御回路２３を介して絞り駆動回路２５に絞り１７を開放位置に駆動させる。これは、本実施例では、位相差ＡＦにおける焦点検出を、絞り１７の開放状態にて行うこととしているためである。なお、絞り１７を絞り込んだ状態で焦点検出が可能である場合は、絞り１７を開放位置に駆動しなくてもよい。
【００８５】
ステップＳ１６７では、ＭＰＵ２０は、モータ駆動回路２７にミラーモータを駆動させ、アップ位置に退避している主ミラー４とサブミラー７をダウン位置に回動させる。
【００８６】
ステップＳ１６８では、ＭＰＵ２０は、次の撮影動作に備えて、モータ駆動回路２７にチャージモータを駆動させ、シャッタ５をチャージして、基本動作を終了する。
【００８７】
以上説明したように、本実施例によれば、フォーカスキャリブレーションモード時に、自動的に開放絞り値に設定し、さらにＩＳＯ感度を優先的に変更することで、開放絞り値で適正露出を得ることが出来る。つまり、被写界深度の浅い画像を撮影することが出来るため、より正確で、ユーザに分かりやすいフォーカスキャリブレーションを行うことが出来る。
【００８８】
［実施例２］
図７のフローチャートには、本発明の実施例２であるデジタル一眼レフカメラ（カメラ本体）と交換レンズを含むデジタル一眼レフカメラにおいてキャリブレーションモードで行われる動作を示す。本実施例のカメラ本体および交換レンズの構成は、実施例１と同様であり、本実施例において実施例１と共通する構成要素には実施例１と同符号を付す。
【００８９】
図７に示す動作は、コンピュータであるＭＰＵ２０およびメモリコントローラ２１が、コンピュータプログラムに従って実行する。
【００９０】
ステップＳ２０１において、ＭＰＵ２０は、ユーザによってモードボタン３４および電子ダイヤル３５が操作されてキャリブレーションモードが選択されたことを検出すると、ステップＳ２０２に進む。
【００９１】
ステップＳ２０２では、ＭＰＵ２０は、キャリブレーションモードが選択される前のモードがいかなるモードであっても、オートＩＳＯモードへ強制的に変更する。ステップＳ２０２が完了すると、ユーザは、フォーカスキャリブレーションを行うときの被写体を探し、該被写体が撮影画面中央に位置するようにカメラを配置する。ここでは、フォーカスキャリブレーションを行う焦点検出領域を撮影画面の中央に位置する焦点検出領域とするために、被写体を撮影画面の中央に配置する。ただし、フォーカスキャリブレーションは撮影画面内のどの焦点検出領域で行ってもよく、被写体はフォーカスキャリブレーションを行う焦点検出領域の位置に配置すればよい。
【００９２】
ステップＳ２０３では、ＭＰＵ２０は、ＩＳＯ感度の設定可能範囲を下限側に広くする。低感度撮影では、ハイライト部の白飛びや、シャドー部の黒つぶれが発生しやすくなるため、通常のカメラでは、ユーザが設定可能なＩＳＯ感度の使用範囲に制限を設けている。しかしフォーカスキャリブレーションでは、ピントが合っている部分の確認が出来る画像であれば良いため、本実施例では、この制限を無くし、ＩＳＯ感度の使用範囲の制限を解除する。こうすることにより、適正露出を得られる撮影環境条件を広くすることが出来る。例えば、ＩＳＯ感度の下限を１００に設定していた場合、図６の線分Ｌ１よりも上方の撮影環境条件でしか適正露出を得ることが出来ないが、ＩＳＯ感度の使用制限を無くすことで、図６内のすべての撮影環境条件で適正露出を得られるように出来る。本実施例では、ピントの合っている位置を判定出来るＩＳＯ感度として、６．２５までを使用可能としている。
【００９３】
ステップＳ２０４では、ＭＰＵ２０は、ユーザによりレリーズボタン３３が半押し操作されて第１スイッチＳＷ１がオンになったか否かを判定する。オンになっていればフォーカスキャリブレーションを行う焦点検出領域および被写体を確定して、ステップＳ２０５に進む。オンされていなければ、オンされるまで待機する。
【００９４】
ステップＳ２０５では、ＭＰＵ２０は、測光センサ１１に被写体の測光を行わせ、測光値を取得する。
【００９５】
ステップＳ２０６では、絞り値を開放に設定する。開放絞り値で撮影することで、装着しているレンズの中で最も被写界深度の浅い画像を得ることが出来る。
【００９６】
ステップＳ２０７では、ＭＰＵ２０は、ステップＳ２０６で設定した開放絞り値（ＡＶ）、キャリブレーションモードを開始する前に設定されていたシャッタ速度（ＴＶ）から露出値（ＥＶ）を計算する。ＥＶは上記の式（１）で求める。さらにＭＰＵ２０は、ステップＳ２０５で取得した測光値（ＬＶ値）と式（１）で計算したＥＶ値を用いて、図６のプログラム線図より、適正露出を得られるＩＳＯ感度を決定する。例えば、ＡＶ＝２、ＴＶ＝１２、ＬＶ＝１７とすると、
ＥＶ＝２＋１２＝１４
となり、式（１）で求めたＥＶ値とＩＳＯ感度１００の時（線分Ｌ１）の交点は点Ｐ３となる。さらにＭＰＵ２０は、ＥＶ値とＬＶ値の差分（Ｙ）を上記の式（２）で求める。式（２）にて本実施例における差分Ｙを求めると、
Ｙ＝１４−１７＝−３
となり、この差分ＹだけＩＳＯ感度の段数をシフトさせると点Ｐ４を取り、ＩＳＯ感度は１２．５となる。このとき、シャッタ速度が最速であり、さらにＩＳＯ感度の設定可能範囲が制限されている場合、例えばＩＳＯ１００が下限値の場合、線分Ｌ１より下方にある撮影条件で適正露出を得る為には、絞り値を大きくしなければ適正露出を得ることが出来ず、被写界深度の深い画像となってしまう。しかし、本実施例では、ステップＳ２０３にてＩＳＯ感度の設定範囲の制限を解除しているため、ＩＳＯ感度は１２．５が使用可能であり、開放絞り値で適正露出を得ることが出来る。
【００９７】
ステップＳ２０８では、ＭＰＵ２０は、ステップＳ２０７にて設定されたＩＳＯ感度が、本実施例における一眼レフカメラにおいて設定されているＩＳＯ感度設定範囲の制限内であるか否かを判定する。判定の結果、設定されたＩＳＯ感度が制限範囲外であれば、ステップＳ２０９に進み、制限範囲内であれば、ステップＳ２１０へ進む。
【００９８】
ステップＳ２０９では、ＭＰＵ２０は、液晶モニタ１２にユーザが設定することの出来ないＩＳＯ感度を使用し撮影したことを表示する。例えば、ステップＳ２０７にて設定されたＩＳＯ感度の数値を表示する。
【００９９】
ステップＳ２１０では、ＭＰＵ２０は、位相差検出方式による焦点検出を行い、位相差合焦位置にフォーカスレンズ３ａを移動させる。このときの位相差合焦位置は、ＳＤＲＡＭ４３に一時的に記録される。
【０１００】
ステップＳ２１１では、ＭＰＵ２０は、ユーザによりレリーズボタン３３が全押し操作されて第２スイッチＳＷ２がオンになったか否かを判定する。オンになっていればステップＳ２１２に進む。オンされていなければ、オンされるまで待機する。
【０１０１】
ステップＳ２１２では、ＭＰＵ２０は、レンズ制御回路２３を通じてフォーカスレンズ３ａを位相差合焦位置から至近側に所定量だけ移動させる。所定量としては、後述するステップＳ２１３にて設定された駆動ステップ量Ｎに、後述するステップＳ２１４にて設定された撮影枚数Ｉの半数を掛け合わせたステップ数が望ましい。
【０１０２】
ステップＳ２１３では、ＭＰＵ２０は、フォーカスレンズ３ａの微小駆動における駆動ステップ量Ｎを１に設定する。なお、駆動ステップ量Ｎは、実際には、フォーカスモータ１３の回転量を示すフォトカプラ１５からのパルス数Ｎに相当する。しかし、ここでは、駆動ステップ量Ｎがフォーカスレンズ３ａの移動量を示すものとして説明する。
【０１０３】
ステップＳ２１４では、ＭＰＵ２０は、ＣＡＬ補正量を決定する際に使用する画像の撮影枚数Ｉを設定する。
【０１０４】
ステップＳ２１５では、ＭＰＵ２０は、設定された駆動ステップ量Ｎがその上限値である１０を超えたか否かを判定する。駆動ステップ量Ｎが１０以下であればステップＳ２１６に進み、１０を超えていればステップＳ２２０に進む。
【０１０５】
ステップＳ２１６では、ステップＳ２１５までに設定されている設定値で撮影を行い、撮影された画像をＳＤＲＡＭ４３に一時的に記録する。また、この時の位相差合焦位置情報も画像に関連付けて一時的にＳＤＲＡＭ４３に一時的に記録する。
【０１０６】
ステップＳ２１７では、ＭＰＵ２０は、レンズ制御回路２３に、フォーカスレンズ３ａを駆動ステップ量Ｎだけ無限遠側に駆動するように指示（命令）する。レンズ制御回路２３は、該指示に応じて、焦点調節回路２４を介して、駆動ステップ量Ｎだけフォーカスレンズ３ａを移動させるようにフォーカスモータ１３を駆動する。
【０１０７】
ステップＳ２１８では、ＭＰＵ２０は、焦点調節回路２４とレンズ制御回路２３を通じて、フォトカプラ１５からのパルス数がＮになったか否か、すなわちフォーカスレンズ３ａが指示された駆動ステップ量Ｎに一致するＮステップ移動したか否かを判定する。フォーカスレンズ３ａがＮステップ移動したときはステップＳ２２１に進み、正しくＮステップ移動しなかったときはステップＳ２１９に進む。正しくＮステップ移動しなかったときとは、フォーカスレンズ３ａが移動しないときや、移動したがその移動量が指示された駆動ステップ量Ｎに一致しないときである。フォーカスレンズ３ａが指示通りにＮステップ移動したことは、現在カメラ本体１に装着されている交換レンズ３はＭＰＵ２０からの駆動ステップ量Ｎの指令に対してフォーカスレンズ３ａをＮステップ移動させる機能（駆動性能）を有することを意味する。フォーカスレンズ３ａがＮステップ移動しなかったことは、該交換レンズ３は、元々その移動指令に対応しないタイプか長期使用による性能劣化等により、駆動ステップ量Ｎの指令に対してフォーカスレンズ３ａをＮステップ移動させる機能を有さないことを意味する。
【０１０８】
ステップＳ２１９では、ＭＰＵ２０は、ステップＳ２１８にてフォーカスレンズ３ａがＮステップ移動しなかったとの判定を受けて、駆動ステップ量Ｎを１増加させてＮ＋１に設定し、ステップＳ２１５に戻る。Ｎ＝１であった場合、Ｎ＋１＝１＋１＝２となる。このように、ステップＳ２１８にてフォーカスレンズ３ａが指示通りにＮステップ移動したことが判定されるまで、ステップＳ２１９でＮを１ずつ増加させながらステップＳ２１７でフォーカスレンズ３ａの駆動が行われる。なお、本実施例では、ステップＳ２１９で駆動ステップ量Ｎを１ステップずつ増加させる場合について説明しているが、増加させるステップ数は２以上のステップ数であってもよい。また、本実施例では、ステップＳ２１２〜ステップＳ２１７にてフォーカスレンズ３ａを至近側から無限遠側に移動させる場合について説明したが、フォーカスレンズ３ａを無限遠側から至近側に移動させてもよい。この場合は、ステップＳ２１２にて、フォーカスレンズ３ａを無限遠側に所定量移動させればよい。
【０１０９】
ステップＳ２２０では、ＭＰＵ２０は、ステップＳ２１９にて指示する駆動ステップ量Ｎが１０を超えても交換レンズ３においてフォーカスレンズ３ａがＮステップ移動しないことで交換レンズ３においてフォーカスレンズ３ａがＮステップ移動しないことで交換レンズ３に何らかの異常があるとみなす。そして、ＭＰＵ２０は、フォーカスキャリブレーションが不能であること、つまりはフォーカスキャリブレーションによる位相差合焦位置の補正を行わないことを示す情報（警報）を出力する。具体的には、該警告を液晶モニタ１２に表示する。この後、ＭＰＵ２０は、キャリブレーションモードを終了する。なお、ステップＳ２１５での駆動ステップ量Ｎの上限値は、１０以外の数であってもよい。また、警告の出力は、音声により行ってもよい。
【０１１０】
ステップＳ２２１では、ＭＰＵ２０は、撮影枚数Ｉを１減少させて、Ｉ−１に設定し、ステップＳ２２２に進む。
【０１１１】
ステップＳ２２２では、ＭＰＵ２０は、撮影枚数Ｉが０か否か、つまり設定された撮影枚数を撮影し終わったかを判定する。撮影が終了し、撮影枚数Ｉが０であった場合はステップＳ２２３に進む。撮影が終了しておらず、撮影枚数Ｉが１以上であった場合はステップＳ２１６に戻る。
【０１１２】
ステップＳ２２３では、ＭＰＵ２０は、フォーカスレンズ３ａの駆動を停止する指示をレンズ制御回路２３に送る。
【０１１３】
ステップＳ２２４では、ＭＰＵ２０は、ステップＳ２１６で撮影された画像を全て液晶モニタ１２に表示する。また、ＭＰＵ２０はユーザの操作、例えば電子ダイヤル３５やマルチコントロールボタン３６の操作により画像が選択されることで、選択された画像を１枚のみ表示させる。さらに選択された画像をユーザの操作により拡大、縮小して表示する。
【０１１４】
ステップＳ２２５では、ＭＰＵ２０は、液晶モニタ１２に表示された画像から、ユーザが１枚の画像を選択する操作を待つ。ユーザが選択する画像とは、ステップＳ２０９で液晶モニタ１２に表示された全画像の中のベストピント画像である。選択する操作は、例えば、電子ダイヤル３５やマルチコントロールボタン３６の操作部材により行われる。ユーザがベストピント画像を選択すると、ステップＳ２２６に進む。
【０１１５】
ステップＳ２２６では、ＭＰＵ２０は、ステップＳ２１０にて得られた位相差合焦位置と、ステップＳ２２５でユーザに選択されたベストピント画像の合焦位置の差を計算する。この差が、ＣＡＬ補正量となる。
【０１１６】
ステップＳ２２７では、ＭＰＵ２０は、ステップＳ２２６で算出されたＣＡＬ補正量を液晶モニタ１２に表示する。
【０１１７】
ステップＳ２２８では、ＭＰＵ２０は、ユーザに、液晶モニタ１２に表示されたＣＡＬ補正量によって位相差合焦位置を補正するか否かを選択する操作を待つ。つまり、フォーカスキャリブレーションに、このＣＡＬ補正量を採用するか否かを選択する操作を待つ。該操作は、例えば、マルチコントロールボタン３６において行われる。補正することを選択する操作がなされた場合はステップＳ２２９に進み、補正しないことを選択する操作がなされた場合はステップＳ２３０に進む。
【０１１８】
ステップＳ２２９では、ＭＰＵ２０は、ＣＡＬ補正量をＥＥＰＲＯＭ２２に記憶させる。
【０１１９】
ステップＳ２３０では、ＭＰＵ２０は、位相差合焦位置の補正、すなわちフォーカスキャリブレーションを行わないことを液晶モニタ１２に表示して、キャリブレーションモードを終了する。
【０１２０】
以上説明したように、本実施例によれば、フォーカスキャリブレーションモード時に、自動的に開放絞り値に設定し、さらにＩＳＯ感度を優先的に変更することで、開放絞り値で適正露出を得ることが出来る。つまり、被写界深度の浅い画像を撮影することが出来るため、より正確で、ユーザに分かりやすいフォーカスキャリブレーションを行うことが出来る。
【０１２１】
さらに本実施例によれば、ＩＳＯ感度の使用範囲を広くすることで、より広い撮影環境条件において、開放絞り値で適正露出を得ることができる。つまり、より広い撮影環境条件において、フォーカスキャリブレーションに適した画像を撮影することが出来る。
【０１２２】
なお、上記各実施例では、撮像装置としてのデジタル一眼レフカメラと光学装置としての交換レンズについて説明した。しかし、撮像装置としては、デジタル一眼レフカメラ以外のデジタルスチルカメラやビデオカメラであってもよいし、光学装置としては、レンズ以外の光学素子により撮像光学系が構成されたものであってもよい。
【０１２３】
また、上記各実施例では、ＡＦユニットにて行う位相差検出方式によるオートフォーカスのＣＡＬ補正として説明した。しかし、ＣＡＬ補正は撮像面上で行われる撮像面位相差検出方式や、コントラスト検出方式によるオートフォーカスについて行ってもよい。
【符号の説明】
【０１２４】
１  撮像装置、３  交換レンズ、３ａ  フォーカスレンズ、８  ＡＦユニット、
１１  測光センサ、２０  ＭＰＵ、２１  メモリコントローラ、２３  レンズ制御手段
【図１】
2017156371.tif 000003
【図２】
2017156371.tif 000004
【図３】
2017156371.tif 000005
【図４】
2017156371.tif 000006
【図５】
2017156371.tif 000007
【図６】
2017156371.tif 000008
【図７】
2017156371.tif 000009